(57)【要約】【課題】利用するデータの保護を強化することができる電子機器、制御方法を提供すること。【解決手段】電子機器であって、接続された携帯電話の動作が、予め定められた前記携帯電話の接続回数および前記携帯電話による発信の有無の少なくとも一方を含む条件を満たすか否かを判定する判定部と、前記条件が満たされた場合、前記携帯電話の電話帳データを表示部に表示させる表示制御部と、を備える。【選択図】図２
2018042267.tif 000002
【特許請求の範囲】
【請求項１】
接続された携帯電話の動作が、予め定められた前記携帯電話の接続回数および前記携帯電話による発信の有無の少なくとも一方を含む条件を満たすか否かを判定する判定部と、
前記条件が満たされた場合、前記携帯電話の電話帳データを表示部に表示させる表示制御部と、
を備える電子機器。
【請求項２】
前記電話帳データを記憶部に記憶させる記憶制御部と、
前記条件が満たされた場合、前記接続された携帯電話の電話帳データと記憶部から読み出した電話帳データを統合する統合部と、
をさらに備える記憶部請求項１に記載の電子機器。
【請求項３】
接続された携帯電話の動作が、予め定められた前記携帯電話の接続回数および前記携帯電話による発信の有無の少なくとも一方を含む条件を満たすか否かを判定する判定ステップと、
前記条件が満たされた場合、前記携帯電話の電話帳データを表示部に表示させる表示制御ステップと、
を備える制御方法。
【発明の詳細な説明】
【技術分野】
【０００１】
本発明は、電子機器、制御方法に関する。
【背景技術】
【０００２】
携帯電話および携帯型音楽プレーヤーなどの外部機器と接続し、外部機器と連携して各種機能を提供するナビゲーション装置が知られている。例えば特許文献１では、複数の携帯電話機にそれぞれ記憶されている電話帳データを統合（マージ）した統合電話帳を記憶する技術が開示されている。
【先行技術文献】
【特許文献】
【０００３】
【特許文献１】特開２０１３−２４３５３２号公報
【発明の概要】
【発明が解決しようとする課題】
【０００４】
しかしながら、特許文献１のような技術では、例えば異なる利用者が所持する携帯電話から読み出した電話帳データが統合されて表示されると、個人情報の保護の観点から問題となる場合がある。
【０００５】
本発明は、上記に鑑みてなされたものであって、利用するデータの保護を強化することができる車載用電子機器、制御方法、およびプログラムを提供することを目的とする。
【課題を解決するための手段】
【０００６】
上述した課題を解決し、目的を達成するために、本発明は、接続された携帯電話の動作が、予め定められた前記携帯電話の接続回数および前記携帯電話による発信の有無の少なくとも一方を含む条件を満たすか否かを判定する判定部と、前記条件が満たされた場合、前記携帯電話の電話帳データを表示部に表示させる表示制御部と、を備える
【発明の効果】
【０００７】
本発明にかかる電子機器、制御方法は、利用するデータの保護を強化することができるという効果を奏する。
【図面の簡単な説明】
【０００８】
【図１】図１は、車載用電子機器の一例であるナビゲーション装置のハードウェア構成を示すブロック図である。
【図２】図２は、車載用電子機器の一例であるナビゲーション装置の機能構成の機能ブロック図である。
【図３】図３は、電話帳データの例を示す図である。
【図４】図４は、電話帳表示処理の一例を示すフローチャートである。
【図５】図５は、電話帳表示処理の一例を示すフローチャートである。
【図６】図６は、統合した電話帳データの一例を示す図である。
【図７】図７は、変形例１のソート情報作成処理を示すフローチャートである。
【図８】図８は、統合処理の変形例を示すフローチャートである。
【発明を実施するための形態】
【０００９】
以下に、本発明にかかる車載用電子機器、制御方法、およびプログラムの実施例を図面に基づいて詳細に説明する。なお、この実施例によりこの発明が限定されるものではない。
【００１０】
本実施形態の車載用電子機器は、例えば複数の携帯電話が接続され、各携帯電話から電話帳データが取得された場合であっても、選択された携帯電話の電話帳データのみを表示する。これにより、選択されない携帯電話の電話帳データが表示されることを回避し、電話帳データの保護を強化することができる。
【００１１】
図１は、本実施形態の車載用電子機器の一例であるナビゲーション装置のハードウェア構成の一例を示すブロック図である。図１に示すように、ナビゲーション装置１００は、携帯端末２００ａ、２００ｂと接続される。携帯端末２００ａ、２００ｂは、携帯電話および携帯型音楽プレーヤーなどの、ナビゲーション装置１００と接続して利用可能な外部機器である。ナビゲーション装置１００は車載用の電子機器で携帯電話と接続され、ハンズフリー機能を実現できる機器であれば、ナビゲーション機能がないカーオーディオやカーディスプレイなど、どのような機器であってもよい。携帯電話は、電話機能を備える機
器であれば、スマートフォン、および、タブレット型の機器など、どのような機器であってもよい。携帯端末２００ａ、２００ｂは、特に区別する必要がない場合は単に携帯端末２００という。携帯端末２００の個数は２に限られるものではない。
【００１２】
本実施形態では、複数の携帯端末２００の電話帳データの処理を説明するため、少なくとも電話機能を備え、それぞれ電話帳データを記憶する携帯端末２００ａ、２００ｂが、ナビゲーション装置１００に接続されるものとする。電話帳データは、例えば、名称（電話を所有する個人の氏名、団体の名称など）および電話番号を対応づけたデータである。
【００１３】
ナビゲーション装置１００は、利用者（運転者）の車両に搭載され、利用者に対する経路を案内（ナビゲーション）する機能を備える。例えば、ナビゲーション装置１００は、自車位置を地図画像に重畳して表示する機能、および、利用者が目的地を容易に選択できるように目的地の候補をより分かり易く表示する機能などを備える。
【００１４】
また、ナビゲーション装置１００は、接続された携帯端末２００を制御する機能を備える。例えば、ナビゲーション装置１００は、電話機能を備える携帯端末２００を用いたハンズフリー通話機能を備えている。携帯端末２００が携帯型音楽プレーヤーの場合は、ナビゲーション装置１００が、接続された携帯端末２００に記憶された楽曲データを読み出して再生出力する機能を備えていてもよい。
【００１５】
ナビゲーション装置１００は、ＧＰＳ（Global  Positioning  System）ユニット１２１と、車速センサ１２２と、記憶部１２５と、演算処理部１２６と、通信部１２７と、操作部１２８と、表示部１２９と、を備える。
【００１６】
ＧＰＳユニット１２１は、複数のＧＰＳ衛星から送られる信号を受信し、自車位置（自車の現在位置）を計測する。ＧＰＳユニット１２１は、計測した自車位置を示す位置情報を演算処理部１２６に供給する。
【００１７】
車速センサ１２２は、例えば、変速機の出力軸や従動輪の回転に応じたパルス信号を計測して、車両の速度を検出する。車速センサ１２２は、検出した速度の情報を演算処理部１２６に供給する。
【００１８】
記憶部１２５は、地図情報（道路情報）や各種の画像などの、表示や経路探索に必要な情報を記憶する。記憶部１２５は、演算処理部１２６からの要求に応じて、必要な情報を読み出して演算処理部１２６に供給する。
【００１９】
なお、記憶部１２５は、ＨＤＤ（Hard  Disk  Drive）、光ディスク、メモリカード、ＲＡＭ（Random  Access  Memory）などの一般的に利用されているあらゆる記憶媒体により構成することができる。
【００２０】
演算処理部１２６は、例えば、ＣＰＵ（Central  Processing  Unit）、ＲＯＭ（Read  Only  Memory）、ＲＡＭ（Random  Access  Memory）、および、内蔵タイマ等から構成される。演算処理部１２６は、例えばＲＯＭに記憶されたプログラムをＣＰＵが実行することにより、ナビゲーション装置１００全体を制御する。
【００２１】
通信部１２７は、携帯端末２００との間で、所定規格のコネクタ（ケーブル）を通じて、通信に必要な情報を送受信する。なお、ナビゲーション装置１００と携帯端末２００とが無線通信規格にて接続されている場合には、通信部１２７は、その無線通信規格に沿って、携帯端末２００との間で、通信に必要な情報を送受信する。
【００２２】
通信規格としては、Ｂｌｕｅｔｏｏｔｈ（登録商標）、ＵＳＢ（Universal  Serial  Bus）、および、ＨＤＭＩ（High-Definition  Multimedia  Interface）（登録商標）などの、従来から用いられているあらゆる規格を適用できる。
【００２３】
操作部１２８は、例えば、表示部１２９の前面に配置されたタッチパネル等からなり、利用者からの操作内容（指示入力等）を受け付ける。なお、操作部１２８は、赤外線リモコン等であってもよい。
【００２４】
表示部１２９は、例えば、液晶ディスプレイ等からなり、地図画像（道路画像）等を表示する。
【００２５】
次に、ナビゲーション装置１００の機能構成について説明する。図２は、ナビゲーション装置１００の機能構成の一例を示す機能ブロック図である。図２に示すように、ナビゲーション装置１００は、記憶制御部１０１と、受付部１０２と、判定部１０３と、統合部１０４と、表示制御部１０５と、第１記憶部１１１と、第２記憶部１１２と、を備える。
【００２６】
第１記憶部１１１は、接続された携帯端末２００から読み出されたデータ（電話帳データなど）を記憶する記憶部である。第１記憶部１１１は、例えばＲＡＭなどの一時的にデータを記憶する記憶媒体により構成してもよい。第２記憶部１１２は、電話帳データの統合に用いるための記憶部である。
【００２７】
なお、第１記憶部１１１および第２記憶部１１２を物理的に別の記憶媒体で構成してもよいし、同じ記憶媒体の異なる領域をそれぞれ第１記憶部１１１および第２記憶部１１２に割り当てるように構成してもよい。図１の例では、記憶部１２５および演算処理部１２６内のＲＡＭなどが、第１記憶部１１１および第２記憶部１１２に対応しうる。
【００２８】
記憶制御部１０１は、第１記憶部１１１および第２記憶部１１２に対する各種情報の書き込み、および、第１記憶部１１１および第２記憶部１１２からの各種情報の読み出しを制御する。例えば、記憶制御部１０１は、携帯端末２００の接続が検知されたときに、接続された携帯端末２００が記憶する電話帳データを読み出し、読み出した電話帳データを第１記憶部１１１に記憶する。複数の携帯端末２００が接続されうるため、記憶制御部１０１は、携帯端末２００を識別する識別情報と対応づけて各電話帳データを記憶してもよい。
【００２９】
図３は、第１記憶部１１１に記憶された電話帳データの例を示す図である。図３では、携帯端末２００の識別情報と、名称および電話番号を含む電話帳データとが対応づけられて記憶される例が示されている。複数の携帯端末２００の電話帳データが一致する場合もある（例えば、図３の「名称ＡＢ３、電話番号ＮＡＢ３」）。また、複数の携帯端末２００の電話帳データに含まれる一部の情報が一致する場合もある（例えば、図３の「名称ＡＢ４」）。
【００３０】
受付部１０２は、ナビゲーション装置１００に対する各種情報および各種指示を受け付ける。例えば受付部１０２は、接続された複数の携帯端末２００のうち、電話機能を利用する機器として指定された１の携帯端末２００の選択を受け付ける。受付部１０２は、例えば操作部１２８を介して利用者により指定された情報を受け付けるように構成できる。
【００３１】
表示制御部１０５は、表示部１２９に対する各種情報の表示処理を制御する。例えば、表示制御部１０５は、選択された携帯端末２００の電話帳データを第１記憶部１１１から読み出し、読み出した電話帳データを表示部１２９に表示させる。
【００３２】
このように、本実施形態では、表示制御部１０５は、第１記憶部１１１に記憶された電話帳データをすべて表示したり、第１記憶部１１１に記憶された電話帳データを統合したデータを表示したりするのではなく、選択された携帯端末２００の電話帳データのみを表示する。これにより、例えば他人の携帯端末２００から読み出した電話帳データが表示されるなどの問題を解消し、電話帳データの保護を強化することができる。
【００３３】
一方、例えば同じ利用者が複数の携帯端末２００を利用している場合などでは、これらの複数の携帯端末２００に記憶されている電話帳データのいずれもナビゲーション装置１００で利用可能とすることが望ましい場合がある。そこで、電話帳データの表示を許可するか否かを判定するための条件を定め、この条件が満たされた場合には複数の携帯端末２００から読み出された電話帳データを統合して表示可能としてもよい。例えば以下の判定部１０３および統合部１０４は、このような機能の実現のために用いられる。なおこの機能を含めない場合は、判定部１０３および統合部１０４を備えなくてもよい。
【００３４】
判定部１０３は、選択された携帯端末２００の動作が、携帯端末２００の動作に関する予め定められた条件を満たすか否かを判定する。例えば、携帯端末２００のナビゲーション装置１００に対する接続回数の累積値が所定の閾値を超えるか否か、所定期間（例えば最近の一定期間）内の接続回数が所定の閾値（所定回数）を超えるか否か、および、ナビゲーション装置１００からの指示による携帯端末２００からの発信の有無、などを、条件として用いることができる。これらの条件の２以上を組み合わせた条件を用いてもよい。
【００３５】
統合部１０４は、条件が満たされたと判定された場合、選択された携帯端末２００の電話帳データとともに、選択された携帯端末２００（例えば携帯端末２００ａ）以外の携帯端末２００（例えば携帯端末２００ｂ）の電話帳データを第１記憶部１１１から読み出し、読み出した電話帳データを統合する。この場合、表示制御部１０５は、統合された電話帳データを表示部１２９に表示させる。
【００３６】
なお、記憶制御部１０１、受付部１０２、判定部１０３、統合部１０４、および、表示制御部１０５は、例えば演算処理部１２６内のＣＰＵなどにプログラムを実行させること、すなわち、ソフトウェアにより実現することができる。なお、これらの各部は、ＩＣ（Integrated  Circuit）などのハードウェア回路により実現してもよいし、ソフトウェアおよびハードウェアを併用して実現してもよい。
【００３７】
次に、このように構成された本実施形態にかかるナビゲーション装置１００による電話帳表示処理について図４を用いて説明する。図４は、本実施形態における電話帳表示処理の一例を示すフローチャートである。
【００３８】
通信部１２７を介して携帯端末２００（以下、携帯電話ともいう）が接続されると、例えば演算処理部１２６に、携帯電話が接続されたことが通知される（ステップＳ１０１）。記憶制御部１０１は、接続が検知された携帯電話から電話帳データを読み出し、第１記憶部１１１に記憶する（ステップＳ１０２）。通信規格によっては、複数の携帯電話と同時に接続できる場合がある。このような場合、記憶制御部１０１は、複数の携帯電話それぞれから電話帳データを読み出し、携帯電話を識別する識別情報と対応づけて記憶してもよい。
【００３９】
表示制御部１０５は、接続された携帯端末２００に対応するアイコンを、表示部１２９に選択可能に表示する（ステップＳ１０３）。複数の携帯電話が接続された場合は、表示制御部１０５は、複数の携帯電話それぞれに対応する複数のアイコンを表示してもよい。
【００４０】
受付部１０２は、表示されたアイコンのうちいずれかが指定（選択）されたか否かを判定する（ステップＳ１０４）。指定されていない場合（ステップＳ１０４：Ｎｏ）、指定されるまで処理を繰り返す。
【００４１】
アイコンが指定された場合（ステップＳ１０４：Ｙｅｓ）、表示制御部１０５は、指定されたアイコンに対応する携帯電話の電話帳データを第１記憶部１１１から読み出し、読み出した電話帳データを表示部１２９に表示させる（ステップＳ１０５）。
【００４２】
例えば、第１記憶部１１１に図３のようなデータが記憶されており、ステップＳ１０４で、識別情報が「携帯電話Ａ」である携帯電話のアイコンが選択されたとする。この場合、表示制御部１０５は、携帯電話Ａに対応づけられた電話帳データを第１記憶部１１１から読み出して表示部１２９に表示させる。これにより、選択されていない、識別情報が「携帯電話Ｂ」である携帯電話の電話帳データが表示されることを回避できる。
【００４３】
受付部１０２は、表示された電話帳データの電話番号のいずれかが選択されたか否かを判定する（ステップＳ１０６）。選択されていない場合（ステップＳ１０６：Ｎｏ）、選択されるまで処理を繰り返す。選択された場合（ステップＳ１０６：Ｙｅｓ）、演算処理部１２６は、例えばハンズフリー通話機能により、指定された携帯電話から選択された電話番号に対して発信を行う（ステップＳ１０７）。記憶制御部１０１は、発信履歴を例えば第２記憶部１１２などの記憶部に記憶する（ステップＳ１０８）。発信履歴は、例えば、電話帳データ（電話番号）ごとの発信の回数を含む。
【００４４】
次に、条件が満たされた場合に電話帳データを統合して表示する構成の場合の電話帳表示処理について説明する。図５は、このように構成した場合の電話帳表示処理の一例を示すフローチャートである。
【００４５】
ステップＳ２０１およびステップＳ２０２は、図４のステップＳ１０１およびステップＳ１０２と同様であるため説明を省略する。
【００４６】
記憶制御部１０１は、接続された携帯電話の接続日時および接続回数を、例えば第２記憶部１１２などの記憶部に記憶する（ステップＳ２０３）。これらの情報は判定部１０３による条件の判定処理で参照されるため、不揮発性の記憶部に記憶されることが望ましい。
【００４７】
判定部１０３は、携帯電話の動作に関する予め定められた条件の例として、接続された携帯電話の接続回数が所定回数以上であるか否かの条件を判定する（ステップＳ２０４）。この条件が満たされない場合（ステップＳ２０４：Ｎｏ）、図４のステップＳ１０３からステップＳ１０５と同様の処理が実行される（ステップＳ２０５からステップＳ２０７）。すなわち、複数の携帯電話の電話帳データは統合されず、指定された携帯電話の電話帳データのみが表示される。
【００４８】
条件が満たされた場合（ステップＳ２０４：Ｙｅｓ）、統合部１０４は、電話帳データを統合する統合処理を行う（ステップＳ２０８）。まず統合部１０４は、例えば記憶制御部１０１を用いて、第１記憶部１１１に記憶されている電話帳データを第２記憶部１１２に読み出す。複数の携帯電話の電話帳データが記憶されている場合、統合部１０４は、各携帯電話の電話帳データを読み出す。統合部１０４は、読み出した電話帳データのうち、例えば名称および電話番号が共通する電話帳データを統合し、第２記憶部１１２などに記憶する。なお、統合部１０４は、名称および電話番号の少なくとも一方が共通する電話帳
データを統合してもよい。
【００４９】
図６は、統合した電話帳データの一例を示す図である。図６では、名称が「名称ＡＢ３」であり電話番号が「電話番号ＮＡＢ３」である電話帳データが「携帯電話Ａ」および「携帯電話Ｂ」の各携帯電話の電話帳データで共通したため、１つのレコードに統合された例が示されている。また、図６では、名称が「名称ＡＢ４」である電話帳データが「携帯電話Ａ」および「携帯電話Ｂ」の各携帯電話の電話帳データで共通したため、１つのレコードに統合された例が示されている。後者の場合、電話番号は異なるため、各電話番号が、共通の名称「名称ＡＢ４」に対応づけられる。
【００５０】
なお、統合の対象とする電話帳データは、第１記憶部１１１に記憶されている電話帳データとしたが、これに限られるものではない。第１記憶部１１１以外にも、例えば事前に入力された電話帳データを記憶している記憶部が存在する場合に、この記憶部に記憶されている電話帳データも統合対象としてもよい。また、第１記憶部１１１に記憶する電話帳データは、現在接続中の携帯電話の電話帳データのみであってもよいし、過去に接続された携帯電話の電話帳データを含んでもよい。
【００５１】
図５に戻り、表示制御部１０５は、統合アイコンを表示部１２９に選択可能に表示する（ステップＳ２０９）。統合アイコンとは、特定の携帯電話に対応するアイコンではなく、統合した電話帳データを参照して電話機能を利用可能とするためのアイコンである。
【００５２】
受付部１０２は、表示されたアイコンが指定（選択）されたか否かを判定する（ステップＳ２１０）。指定されていない場合（ステップＳ２１０：Ｎｏ）、指定されるまで処理を繰り返す。
【００５３】
アイコンが指定された場合（ステップＳ２１０：Ｙｅｓ）、表示制御部１０５は、統合された電話帳データを読み出し、読み出した電話帳データを表示部１２９に表示させる（ステップＳ２１１）。
【００５４】
ステップＳ２０７およびステップＳ２１１の後の処理（ステップＳ２１２からステップＳ２１４）は、図４のステップＳ１０６からステップＳ１０８と同様であるため説明を省略する。なお、統合アイコンを表示し、かつ、複数の携帯電話が接続されている場合、ステップＳ２１３では、演算処理部１２６は複数の携帯電話のうちいずれの携帯電話から発信を行ってもよい。優先する携帯電話を事前に設定しておき、演算処理部１２６が、この設定に従い発信する携帯電話を決定してもよい。また、複数の携帯電話のアイコンや携帯電話のデバイス名を表示し、指定されたアイコンの携帯電話から発信するようにしてもよ
い。
【００５５】
（変形例１）
電話帳データを表示するときに、使用履歴（使用回数）に応じて表示順をソートして表示するように構成してもよい。図７は、このように構成した変形例１のナビゲーション装置１００によるソート情報作成処理の一例を示すフローチャートである。ソート情報作成処理とは、表示順のソートに利用する使用履歴ソート情報を作成する処理である。ソート情報作成処理は、電話帳表示処理と独立に実行されてもよいし、電話帳表示処理の中（例えばステップＳ１０５の前）で実行されてもよい。
【００５６】
記憶制御部１０１は、例えば第２記憶部１１２から電話番号ごとの使用履歴を読み出す（ステップＳ３０１）。使用履歴は、例えばステップＳ１０８で記憶された発信履歴でもよいし、電話帳データとともに、または、電話帳データとは別に各携帯電話から読み出されて記憶された使用履歴でもよい。
【００５７】
記憶制御部１０１は、読み出した使用履歴が、接続中の携帯電話のデータであるか否かを判定する（ステップＳ３０２）。接続中の携帯電話のデータである場合（ステップＳ３０２：Ｙｅｓ）、記憶制御部１０１は、読み出したデータを選択する（ステップＳ３０３）。接続中の携帯電話のデータでない場合（ステップＳ３０２：Ｎｏ）、記憶制御部１０１は、読み出したデータを選択しない（ステップＳ３０４）。
【００５８】
記憶制御部１０１は、読み出した使用履歴が最後のデータであるか否かを判定し（ステップＳ３０５）、最後でない場合は（ステップＳ３０５：Ｎｏ）、ステップＳ３０２に戻り処理を繰り返す。最後のデータである場合（ステップＳ３０５：Ｙｅｓ）、記憶制御部１０１は、選択したデータから使用履歴ソート情報を作成し、例えば第２記憶部１１２に記憶する（ステップＳ３０６）。
【００５９】
使用履歴ソート情報は、表示する電話帳データを使用履歴に応じてソートできる情報であればどのような情報であってもよい。例えば、電話帳データと表示順序を示す順序情報とを対応づけて使用履歴ソート情報としてもよい。この場合、表示制御部１０５は、順序情報に従い、対応する電話帳データを表示部１２９に表示させればよい。すなわち、表示制御部１０５は、使用履歴ソート情報を参照して、使用回数が多い電話帳データを使用回数が少ない電話帳データより優先して表示部１２９に表示させてもよい。順序情報は、使用回数自体であってもよいし、使用回数によってソートした結果を示す数値等であっても
よい。
【００６０】
（変形例２）
図８は、ステップＳ２０８の統合処理の変形例を示すフローチャートである。図８は、名称が一致する電話帳データを統合する場合の統合処理の例である。
【００６１】
統合部１０４は、第１記憶部１１１に記憶されている電話帳データを第２記憶部１１２に読み出す（ステップＳ４０１）。複数の携帯電話の電話帳データが記憶されている場合、統合部１０４は、各携帯電話の電話帳データを読み出す。統合部１０４は、読み出した電話帳データのうち、名称が一致する他の電話帳データが存在するか否かを判定する（ステップＳ４０２）。存在しない場合（ステップＳ４０２：Ｎｏ）、統合処理を終了する。
【００６２】
名称が一致する電話帳データが存在する場合（ステップＳ４０２：Ｙｅｓ）、統合部１０４は、名称が一致する各電話帳データの電話番号が一致するか否かを判定する（ステップＳ４０３）。一致する場合（ステップＳ４０３：Ｙｅｓ）、統合部１０４は、名称および電話番号が一致する電話帳データを１つの電話帳データに統合する（ステップＳ４０４）。一致しない場合（ステップＳ４０３：Ｎｏ）、統合部１０４は、名称のみが一致する電話帳データを、一致した名称と、一致しない複数の電話番号とを対応づけた電話帳データに統合する（ステップＳ４０５）。例えば、上述の図６の「名称ＡＢ４」の電話帳データがこのようにして統合された電話帳データに相当する。
【００６３】
このように、本実施形態にかかるナビゲーション装置では、選択された携帯端末に対応する電話帳データのみが表示部に表示される。これにより、選択されていない携帯端末の電話帳データが表示されることを回避し、利用する電話帳データの保護の強化およびセキュリティの向上が実現できる。また、所定の条件が満たされる場合は、選択されていない携帯端末の電話帳データも統合して表示することができる。これにより、例えば複数の携帯端末を所有する利用者の利便性を向上させることができる。
【００６４】
本実施形態にかかるナビゲーション装置で実行されるプログラムは、ＲＯＭ等に予め組み込まれて提供される。
【００６５】
本実施形態にかかるナビゲーション装置で実行されるプログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録してコンピュータプログラムプロダクトとして提供されるように構成してもよい。
【００６６】
さらに、本実施形態にかかるナビゲーション装置で実行されるプログラムを、インターネット等のネットワークに接続されたコンピュータ上に格納し、ネットワーク経由でダウンロードさせることにより提供するように構成してもよい。また、本実施形態にかかるナビゲーション装置で実行されるプログラムをインターネット等のネットワーク経由で提供または配布するように構成してもよい。
【００６７】
本実施形態にかかるナビゲーション装置で実行されるプログラムは、コンピュータを上述したナビゲーション装置の各部として機能させうる。このコンピュータは、ＣＰＵがコンピュータ読取可能な記憶媒体からプログラムを主記憶装置上に読み出して実行することができる。
【符号の説明】
【００６８】
１００  ナビゲーション装置
１０１  記憶制御部
１０２  受付部
１０３  判定部
１０４  統合部
１０５  表示制御部
１１１  第１記憶部
１１２  第２記憶部
１２１  ＧＰＳユニット
１２２  車速センサ
１２５  記憶部
１２６  演算処理部
１２７  通信部
１２８  操作部
１２９  表示部
２００ａ、２００ｂ  携帯端末
【図１】
2018042267.tif 000003
【図２】
2018042267.tif 000004
【図３】
2018042267.tif 000005
【図４】
2018042267.tif 000006
【図５】
2018042267.tif 000007
【図６】
2018042267.tif 000008
【図７】
2018042267.tif 000009
【図８】
2018042267.tif 000010